(57)【特許請求の範囲】
【請求項１】
表示装置においてピクチャの画素の輝度値をサブフィールド符号語に符号化する方法であって、前記サブフィールド符号語の各々のビットは状態“オン”又は“オフ”を有し、その状態が“オン”のときにサブフィールドと呼ばれる期間中に発光を起こし、画素について前記画素のサブフィールド符号語の各々のビットに対応して発光された光の合計が前記画素の前記輝度値を表し、前記サブフィールド符号語の前記ビットに関連付けられた前記サブフィールドの全持続時間はピクチャフレームを構成し、各々のサブフィールドはそのサブフィールドの持続時間に比例する重みを有し、各々のサブフィールド符号語の前記ビットは、最大の重みを有するサブフィールドに関連付けられるビットから最小の重みを有するサブフィールドに関連付けられるビットまで次々に再帰的に計算される、方法であり、
最大の重みを有する前記サブフィールドに関連付けられたビットについて、現画素の輝度値が前記ビットに関連付けられた閾値に等しいか又はそれより大きい場合に、前記ビットに対して状態“オン”を割り当て、
前記サブフィールド符号語の各々の後続ビットについて、前記後続ビット及び前記後続ビットのあとの残りのビットにより符号化されるべき残留輝度値を計算し、該計算は
現画素が属する画素のラインにおいて、直前のサブフィールドに関連付けられたビットが“オン”状態にあるビットの数を計算し、
“オン”状態にある画素の前記数に基づいて、前記サブフィールド符号語に対応する前記サブフィールドについてのサブフィールド輝度値を推定し、
前記サブフィールド符号語によって符号化されるべき輝度値から、推定されたサブフィールド輝度値を減じることによって前記残留輝度値を計算することを含み、
前記残留輝度値が前記ビットに関連付けられた閾値に等しいか又はそれより大きい場合に、前記ビットに対して状態“オン”を割り当て、ライン負荷が可視的でないようにする、
ことを特徴とする方法。
【請求項２】
請求項１に記載の方法であって、ビットに関連付けられた前記閾値は、前記ビットに対応する前記サブフィールドの前記重みより小さい重みを有するサブフィールドの重みの和足す１に等しい、ことを特徴とする方法。
【請求項３】
請求項１に記載の方法であって、現画素のサブフィールド符号語の現ビットにより符号化されるべき前記残留輝度値は、
前記現ビットに関連付けられる前記サブフィールドの直前に計算される、先行サブフィールドと呼ばれるサブフィールドについて、前記現画素が属す画素のラインにおいて“オン”状態の前記先行サブフィールドに関連付けられるビットを有する画素の数を計算し、
“オン”状態にある画素の前記数に基づいて前記サブフィールドについて、サブフィールド輝度値を推定し、そして
前記先行サブフィールドに関連付けられるビット及び前記サブフィールド符号語の前記後続ビットにより符号化されるべき輝度値から前記サブフィールド輝度値を減算する、
ことにより計算される、ことを特徴とする方法。
【請求項４】
表示装置においてピクチャの画素の輝度値をサブフィールド符号語に符号化する装置であって、前記サブフィールド符号語の各々のビットは状態“オン”又は“オフ”を有し、その状態が“オン”のときにサブフィールドと呼ばれる期間中に発光を起こし、画素についてそのサブフィールド符号語の各々のビットに対応して発光された光の合計が前記画素の前記輝度値を表し、前記サブフィールド符号語の前記ビットに関連付けられた前記サブフィールドの全持続時間はピクチャフレームを構成し、各々のサブフィールドはその持続時間に比例する重みを有し、各々のサブフィールド符号語の前記ビットは、最大の重みを有するサブフィールドに関連付けられるビットから最小の重みを有するサブフィールドに関連付けられるビットまで次々に再帰的に計算される、装置であり、
現画素の前記サブフィールド符号語の各々のビットを計算するために、当該装置は、
最大の重みを有するサブフィールドに関連付けられるビットに対して、前記現画素の前記輝度値が前記ビットに関連付けられた閾値に等しいか又はそれより大きい場合に、状態“オン”を割り当てる比較回路と、
前記サブフィールド符号語の各々の後続ビットについて、前記後続ビット及び前記後続ビットのあとの残りのビットにより符号化されるべき残留輝度値を計算する計算回路であって、該計算は、現画素が属する画素のラインにおいて、直前のサブフィールドに関連付けられたビットが“オン”状態にあるビットの数を計算し、 “オン”状態にある画素の前記数に基づいて、前記サブフィールド符号語に対応する前記サブフィールドについてのサブフィールド輝度値を推定し、前記サブフィールド符号語によって符号化されるべき輝度値から、推定されたサブフィールド輝度値を減じることによって前記残留輝度値を計算することを含み、前記計算回路はさらに、前記残留輝度値が前記ビットに関連付けられた閾値に等しいか又はそれより大きい場合に、前記ビットに対して状態“オン”を割り当て、ライン負荷が可視的でないようにする計算回路と、
を有することを特徴とする装置。
【請求項５】
請求項４に記載の装置であって、前記サブフィールド符号語の異なるビットに関連付けられる閾値を出力するための制御器を更に有する、ことを特徴とする装置。
【請求項６】
請求項４に記載の装置であって、ビットに関連付けられた閾値は、前記ビットに対応する前記サブフィールドの前記重みより小さい重みを有するサブフィールドの重みの和足す１に等しい、ことを特徴とする装置。
【請求項７】
請求項４に記載の装置であって、現画素のサブフィールド符号語の現ビットにより符号化されるべき前記残留輝度値を計算するために、前記計算回路は、
前記現ビットに関連付けられた前記サブフィールドの直前に計算される、先行サブフィールドと呼ばれるサブフィールドについて、前記現画素が属す画素のラインにおいて“オン”状態の前記先行サブフィールドに関連付けられるビットを有する画素の数を計算するための手段と、
“オン”状態にある画素の前記数に基づいて前記サブフィールドについて、サブフィールド輝度値を推定するための手段と、
前記先行サブフィールドに関連付けられるビット及び前記サブフィールド符号語の前記後続ビットにより符号化されるべき輝度値から前記サブフィールド輝度値を減算するための手段と、
を有する、ことを特徴とする装置。
【請求項８】
請求項４に記載の符号化装置を有することを特徴とする表示装置。
【発明の詳細な説明】
【技術分野】
【０００１】
本発明は、表示装置のサブフィールド符号語にピクチャの画素の輝度値を符号化するための方法及び装置に関する。本発明は、映像ピクチャを表示するためにＰＭＭ技術及びサブフィールドを用いる全ての表示装置に適用される。
【背景技術】
【０００２】
符号化は階調表現（直線性及びノイズディザリング）及び動き演出（擬似輪郭のレベル）を担うため、ＰＷＭ技術を用いる表示のサブフィールド符号化部分は表示装置の最も重要な部分の１つである。
【０００３】
サブフィールド符号化の目的は、サブフィールドデータでサブフィールドメモリを満たすことである。画素のサブフィールドデータは符号語であり、各々のビットは、サブフィールドの間、この画素の状態、即ち、“オン”又は“オフ”に対応できる。このサブフィールドメモリは、サブフィールド毎に、次のフレーム中に読み取られ、それは、画素毎に書き込まれる。この情報は、表示装置を制御するために直接用いられる。
【０００４】
サブフィールド符号化ステップは、一般に、図１に示すようなデガンマ関数の後に行われる。デガンマ関数は、先ず、入力輝度値に適用される。それらの値は、次いで、サブフィールド符号化ステップによりサブフィールド符号語に符号化される。サブフィールド符号化ステップは、結局、ディザリングステップにより先行される。サブフィールド符号語は、次いで、サブフィールドメモリに記憶される。
【０００５】
標準的方法においては、符号化ステップは、単純なルックアップテーブルを用いることにより実施される。サブフィールド符号語は各々の輝度値に関連付けられる。幾つかの問題は全く解決できないか又はこの標準的方法を用いるときに単純な方式でしか解が得られない。これはライン負荷の影響の場合であり、所定の輝度値に対して現画素により出射される光は、現画素が属す一ラインの画素の負荷により変化する。この問題は、標準的方法を用いることによって完全には解決されない。平均パワーレベルが表示装置において制御されるときの直線性の問題についても同様である。
【０００６】
ライン負荷の影響については、図２及び３に示している。図２は、ライン負荷の影響の問題を被る表示装置により表示されたテストピクチャを示している。最初のライン及び最終のラインにおいては、画素の半分が黒色である一方、他の半分は白色である。図３は、その表示装置により表示されたピクチャを示している。ライン負荷の影響は中間ラインで可視的である。この効果について、次に説明する。即ち、サブフィールドが全部のラインで用いられるとき、その輝度は、そのサブフィールドが用いられないラインにおける輝度に比べて２０％減少する。その値２０％は、例として与えられている。中間ラインの画素の輝度値は、それ故、２５５・（１−（１−１／２）ｘ０．２０）＝２２９．５である一方、他のラインの白色画素は２５５・（１−（１−１）ｘ０．２０）＝２５５を有する。
【特許文献１】欧州特許第０９７３１４７号明細書
【特許文献２】米国特許第６０６９６０９号明細書
【特許文献３】米国特許第５５９６３４９号明細書
【特許文献４】欧州特許第０８２２５３６号明細書
【特許文献５】米国特許第６１００８５９号明細書
【発明の概要】
【発明が解決しようとする課題】
【０００７】
本発明の目的は、何れの輝度の問題、特に、ライン負荷の影響の問題を単純な方法で解決することができるサブフィールド符号化方法について開示することである。
【課題を解決するための手段】
【０００８】
それ故、本発明は、表示装置におけるサブフィールド符号語にピクチャの画素の輝度値を符号化するための方法であって、サブフィールド符号語の各々のビットは状態“オン”又は“オフ”を有し、その状態が“オン”であるときに、サブフィールドを呼ばれる期間の間に光発光を生成し、そのサブフィールド符号語により画素について発光される光は、ピクチャフレームを構成するサブフィールド符号語のビットに関連付けられるサブフィールドの全持続時間及び前記画素の輝度値を表す、方法に関する。各々のサブフィールドはその持続時間に比例する重みを有する。本発明にしたがって、各々のサブフィールド符号語のビットは、最も有効な重みを有するサブフィールドに関連付けられるビットから少なくとも有効な重みを有するサブフィールドに関連付けられるビットまで、対応するサブフィールドの重みの多い順に再帰的に計算される。
【０００９】
特に、現画素のサブフィールド符号語の各々のビットは、
−  最も有効な重みを有するサブフィールドに関連付けられるビットについて、現画素の輝度値が前記ビットに関連付けられた閾値に等しいかそれより大きい場合、前記ビットに状態“オン”を割り当てることにより、及び
−  サブフィールド符号語の各々の後続ビットについて、残留輝度値が前記ビットに関連付けられた閾値に等しいかそれより大きい場合、サブフィールド符号語の後続のビット及び前記ビットにより符号化されるべき残留輝度値を計算し、前記ビットに状態“いいえ”を割り当てることにより、
計算される。
【００１０】
ビットに関連付けられた閾値は、前記ビットに対応するサブフィールドの重みより小さい重みを有するサブフィールドの重みの和足す１に等しい。
【００１１】
特定の実施形態においては、現画素についてビットにより符号化されるべき残留輝度値は、現画素が属す表示装置のラインの画素の状態の関数として計算される。
【００１２】
例えば、現画素のサブフィールド符号語の現ビットにより符号化されるべき残留輝度値は、
−  前記現ビットに関連付けられたサブフィールドの直前に計算される、先行するサブフィールドと呼ばれるサブフィールドについて、現画素が属す画素のラインにおいて“オン”状態の前記先行するサブフィールドに関連付けられたビットを有する画素の数を計算し、
−  前記画素の数に基づいて前記サブフィールドのサブフィールド輝度値を推定し、そして
−  サブフィールド符号語の後続ビット及び前記先行サブフィールドに関連付けられたビットにより符号化されるべき輝度値から前記サブフィールド輝度値を減算する、
ことにより計算される。
【００１３】
本発明はまた、表示装置におけるサブフィールド符号語にピクチャの画素の輝度値を符号化するための装置であって、サブフィールド符号語の各々のビットは状態“オン”又は“オフ”を有し、その状態が“オン”であるときに、サブフィールドを呼ばれる期間の間に光発光を生成し、そのサブフィールド符号語により画素について発光される光は、ピクチャフレームを構成するサブフィールド符号語のビットに関連付けられたサブフィールドの全持続時間及び前記画素の輝度値を表す、装置に関する。各々のサブフィールドはその持続時間に比例する重みを有する。本発明にしたがって、この装置は、各々のサブフィールド符号語のビットを、最も有効な重みを有するサブフィールドに関連付けられるビットから少なくとも有効な重みを有するサブフィールドに関連付けられがビットまで、対応するサブフィールドの重みの多い順に再帰的に計算する。
【００１４】
現画素のサブフィールド符号語の各々のビットを計算するために、その装置は、
−  現画素の輝度値が前記ビットに関連付けられる閾値に等しいかそれより大きい場合、最も有効な重みを有するサブフィールド関連付けられがビットに状態“オン”を割り当てるため、及び、サブフィールド符号語の後続ビット及び前記ビットにより符号化されるべき残留輝度値が前記ビットに関連付けられた閾値に等しいか又はそれより大きい場合、前記ビットに状態“オン”を割り当てるための比較器回路と、
−  サブフィールド符号語の後続ビット及び前記ビットにより符号化されるべき残留輝度を、最も有効な重みのサブフィールドに関連付けられたビットに後続するサブフィールド符号語の各々のビットについて計算するための計算回路と、
を有する。
【００１５】
その装置は、サブフィールド符号語の異なるビットに関連付けられた閾値を出力するための制御器を更に有する。ビットに関連付けられた閾値は、有利であることに、前記ビットに対応するサブフィールドの重みより小さい重みを有するサブフィールドの重みの和足す１に等しい。
【００１６】
好適な実施形態においては、計算回路は、現画素が属す表示装置のラインの画素の状態の関数として現画素についてビットにより符号化されるべき残留輝度値を計算する。その場合、現画素のサブフィールド符号語の現ビットにより符号化されるべき残留輝度値を計算するために、計算ユニットは、
−  前記現ビットに関連付けられたサブフィールドの直前に計算される、先行するサブフィールドと呼ばれるサブフィールドについて、現画素が属す画素のラインにおいて“オン”状態の前記先行するサブフィールドに関連付けられたビットを有する画素の数を計算するための手段と、
−  前記画素の数に基づいて前記サブフィールドのサブフィールド輝度値を推定するための手段と、
−  サブフィールド符号語の後続ビット及び前記先行サブフィールドに関連付けられたビットにより符号化されるべき輝度値から前記サブフィールド輝度値を減算するための手段と、
を有する。
【００１７】
本発明はまた、上記の符号化装置を有するＰＷＭ表示装置に関する。
本発明の例示としての実施形態については、図に示して、以下の詳細な説明で詳述する。
【図面の簡単な説明】
【００１８】
【図１】画素の輝度値を、それをサブフィールド符号語に変換するように適用されるステップを示す模式図である。
【図２】本発明の方法を用いて符号化されるべきテストピクチャである。
【図３】図２のテストピクチャについてのライン負荷の影響を示す図である。
【図４】本発明の方法を実施する装置の模式図である。
【図５】本発明の方法を実施する装置の詳細模式図である。
【図６】サブフィールド符号語の最も重要なビットを生成するための図５の装置の第１部分の模式図である。
【図７】サブフィールド符号語の他のビットを生成するための図５の装置の第２部分の模式図である。
【発明を実施するための形態】
【００１９】
本発明については、幾つかのピクチャを表示するときにライン負荷の影響の問題を被る表示装置に関連して詳述するが、本発明は、推定される何れの輝度の問題を補償するように用いられることが可能である。
【００２０】
再帰的符号化の一般概念は、一のサブフィールドにおいて他のサブフィールドと共に生じる問題を補償することが可能であるように、サブフィールドを次々に符号化することである。特に、サブフィールド符号語のビットは、サブフィールド符号語のビットにより発生される光発光又は輝度がサブフィールド符号語のビットの後続ビットにより補償されるように、互いに再帰的に計算される。特定の実施形態においては、各々のサブフィールド符号語のビットは、最大の重みを有するサブフィールドに関連する最上位ビット（ＭＳＢ）から最小の重みを有するサブフィールドに関連する最下位ビット（ＬＳＢ）までの対応するサブフィールドの重みの大きい順に再帰的に計算される。
【００２１】
本発明にしたがって、状態“１”（＝“オン”）が、この画素の輝度値がこのビット（又は対応するサブフィールド）に関連付けられた閾値に等しいか又はそれより大きい場合に、現画素のＭＳＢに割り当てられる。各々の後続ビットについては、前記ビット及び後続ビットにより符号化されるべき残留輝度値が、その残留輝度値が慚愧ビットに関連付けられる閾値に等しいか又はそれより大きい場合に、前記ビットに割り当てられる。
【００２２】
実施例について、後続サブフィールドの重みと対応する切り替え値を用いて説明する。
【００２３】
【表１】
0005686786.tif 000002
現サブフィールドＳＦｉ（又は、サブフィールド符号語のビット）の切り替え値ＳＶｉは、例えば、前記現サブフィールドに先行するサブフィールドの重みＷｊの和足す１であり、
【００２４】
【数１】
0005686786.tif 000003
である。
【００２５】
現画素のサブフィールド符号語の現ビットにより符号化されるべき残留輝度値は、
−  現ビットに先行するビットにより発生される輝度を推定し、そして
−  現ビットに先行するビット及び前記先行ビットに後続するビットにより符号化されるべき輝度値から前記輝度値を減算する、
ことにより計算される。サブフィールド符号語の各々のビットは映像フレームの複数のサブフィールドにおける特定のサブフィールドを参照するため、表現“ビットの輝度”又は“サブフィールドの輝度”を、本明細書においては、以下、平凡に使用することにする。現画素についてのビットの輝度は、現画素が属す画素のラインにおいて状態“１”の先行ビットを有する画素の数に基づいて計算される。
【００２６】
上記のように、サブフィールドの輝度は、表示されるべき画素のラインのライン負荷（考慮されている画素のラインにおける“オン”状態の画素の数）に応じて変化する。それ故、そのサブフィールドの輝度は、必要な情報全てが認識されるとすぐ、評価される。そのサブフィールドの輝度は、ピクチャの負荷の終了時に評価されるが、時間遅延を制限するように、それは、通常、各々のラインの最小において評価される。画素のサブフィールドの輝度は単に画素自体の関数であり、そして画素の輝度が直接評価されることができる完全なディスプレイについては、サブフィールドの輝度はピクチャの全ての画素に対して略同じである。あるラインにおける輝度がこのラインの負荷分布に依存する（例えば、ライン負荷の影響）ディスプレイについては、サブフィールドの輝度は、サブフィールドがライン全体について符号化されたときにのみ、評価される。
【００２７】
本発明にしたがって、ライン負荷の影響の問題は新しい方法で処理される。一般に、ライン負荷の影響は、あるラインにおける輝度損失として認識される。それにも拘わらず、サブフィールドがあるライン全体で用いられるときに、その輝度は、そのサブフィールドが用いられないあるラインの輝度と比べて、２０％だけ減少することに相当し、サブフィールドがあるラインで用いられないとき、そのサブフィールドの輝度は、そのサブフィールドがライン電対で用いられるときの輝度に比べて、２５％増加することに相当する。基準輝度は異なるが、その効果は同じである。それ故、図２及び３において、最初のライン及び最後のラインの画素の輝度値は、２５５・（１＋（１−１／２）ｘ０．２５）＝２８７である一方、中間ラインの白色画素は、輝度、２５５・（１＋（１−１）ｘ０．２５）＝２８７を有する。
【００２８】
各々のサブフィールドの輝度が評価されるため、ＡＰＬ制御のための直線性問題はまた、本発明の方法により補償されることができることに留意する必要がある。
【００２９】
本発明の方法について、上記表に与えられている切り替え値及びサブフィールド重みを用いる実施例を用いて適切に説明する。
【００３０】
再帰的符号化方法は、サブフィールド毎に且つライン毎に実行される。目的は、適切なサブフィールド符号語を各々の画素値について決定することである。その方法の開始時に、画素値全てのサブフィールド符号語は、ＸＸＸＸＸＸＸＸＸＸのように表される。
最初のライン：白色画素の輝度値（符号化される値：２５５）はＸＸＸＸＸＸＸＸＸＸにおいて符号化される。
最初のライン：黒色画素の輝度値（符号化される値：０）はＸＸＸＸＸＸＸＸＸＸにおいて符号化される。
中間のライン：画素の輝度値（符号化される値：２５５）はＸＸＸＸＸＸＸＸＸＸにおいて符号化される。
最後のライン：白色画素の輝度値（符号化される値：２５５）はＸＸＸＸＸＸＸＸＸＸにおいて符号化される。
最後のライン：黒色画素の輝度値（符号化される値：０）はＸＸＸＸＸＸＸＸＸＸにおいて符号化される。
【００３１】
本発明にしたがって、最も重要なサブフィールド（１０番目のサブフィールド）に対応するサブフィールド符号語のビットがピクチャの画素全部について決定される。最初のラインにおいて及び最初の再帰的ステップ（１０番目のサブフィールドに関連したビットの符号化）中、オリジナルの輝度値、２５５を有する白色画素は、２５５≧１７６（１０番目のサブフィールドについての切り替え値）であるため、サブフィールド１０を用いる。それ故、それらのサブフィールド符号語はＸＸＸＸＸＸＸＸＸ１のタイプを有する。黒色画素は、０＜１７６であるため、このサブフィールドを有さず、それ故、それらのサブフィールド符号語はＸＸＸＸＸＸＸＸＸ０のタイプを有する。
【００３２】
一旦、このサブフィールド符号語がこのラインについて決定されると、その負荷が評価され、その有効な輝度が推定される。図２の実施例においては、このサブフィールドについてのこのラインの負荷は、画素の半分が白色であり且つこのサブフィールドを用い、他の半分が黒色であり且つ、それ故、このサブフィールドを用いないために、１／２に等しい。そのサブフィールドは予測されるものより明るく、このラインの輝度は、８０・（１＋（１−１／２）ｘ０．２５）＝９０に等しい。サブフィールドが用いられる画素について、このサブフィールドの輝度は、符号化される輝度値に対して減算される。それ故、最初のラインの第１再帰的ステップの終了時に、次のように得られる。
最初のライン：白色画素の輝度値はＸＸＸＸＸＸＸＸＸ１において符号化される。符号化される残留値は１６５である。
最初のライン：黒色画素の輝度値はＸＸＸＸＸＸＸＸＸ０において符号化される。符号化される値は０である。
【００３３】
最初のラインについて、第９サブフィールド（最も重要な残留サブフィールド）の符号化に対応する第２再帰的ステップが実行される。白色画素は、ここで、１６５の輝度値を有し、それ故、それらの画素は、１６５≧１１７であるため、第９サブフィールドを用いる。黒色画素は、０＜１１７であるため、第９サブフィールドを用いない。このサブフィールドについてのこのラインの負荷は１／２に等しい。この最初のラインについての第９サブフィールドの有効輝度は、５９・（１＋（１−１／２）ｘ０．２５）＝６６に等しい。それ故、最初のラインの第２再帰的ステップの終了時に、次のように得られる。
最初のライン：白色画素の輝度値はＸＸＸＸＸＸＸＸ１１において符号化される。符号化される残留値は９９である。
最初のライン：黒色画素の輝度値はＸＸＸＸＸＸＸＸ００において符号化される。符号化される値は０である。
【００３４】
最初のラインについて、第８サブフィールドの符号化に対応する第３再帰的ステップが、次いで、実行される。白色画素は、９９≧７５であるため、第８サブフィールドを用いる。最初のラインについてのこのサブフィールドの有効輝度は、４２・（１＋（１−１／２）ｘ０．２５）＝４７に等しい。それ故、最初のラインの第３再帰的ステップの終了時に、次のように得られる。
最初のライン：白色画素の輝度値はＸＸＸＸＸＸＸ１１１において符号化される。符号化される残留値は５２である。
最初のライン：黒色画素の輝度値はＸＸＸＸＸＸＸ０００において符号化される。符号化される値は０である。
【００３５】
最初のラインについて、第７サブフィールドの符号化に対応する第４再帰的ステップが、次いで、実行される。白色画素は、５２≧４６であるため、第７サブフィールドを用いる。最初のラインについてのこのサブフィールドの有効輝度は、２９・（１＋（１−１／２）ｘ０．２５）＝３３に等しい。それ故、最初のラインの第４再帰的ステップの終了時に、次のように得られる。
最初のライン：白色画素の輝度値はＸＸＸＸＸＸ１１１１において符号化される。符号化される残留値は１９である。
最初のライン：黒色画素の輝度値はＸＸＸＸＸＸ００００において符号化される。符号化される値は０である。
【００３６】
最初のラインについて、第６サブフィールドの符号化に対応する第５再帰的ステップが、次いで、実行される。白色画素は、１９＜２７であるため、第６サブフィールドを用いる。それ故、このサブフィールドについてのこのラインの負荷は０に等しい。それ故、最初のラインについてのこのサブフィールドの有効輝度は、１９・（１＋（１−１／２）ｘ０．２５）＝２４に等しい。それ故、最初のラインの第５再帰的ステップの終了時に、次のように得られる。
最初のライン：白色画素の輝度値はＸＸＸＸＸ０１１１１において符号化される。符号化される残留値は１９である。
最初のライン：黒色画素の輝度値はＸＸＸＸＸ０００００において符号化される。符号化される値は０である。
【００３７】
最初のラインについて、第５サブフィールドの符号化に対応する第６再帰的ステップが、次いで、実行される。白色画素は、１９≧１５であるため、第５サブフィールドを用いる。最初のラインについてのこのサブフィールドの有効輝度は、１２・（１＋（１−１／２）ｘ０．２５）＝１４に等しい。それ故、最初のラインの第６再帰的ステップの終了時に、次のように得られる。
最初のライン：白色画素の輝度値はＸＸＸＸ１０１１１１において符号化される。符号化される残留値は５である。
最初のライン：黒色画素の輝度値はＸＸＸＸ００００００において符号化される。符号化される値は０である。
【００３８】
最初のラインは、最も大きい残留値（白色画素についての残留値である５）が切り替え値（８）より小さいため、第４サブフィールドを用いない。それ故、第７再帰的ステップの終了時に、次のように得られる。
最初のライン：白色画素の輝度値はＸＸＸ０１０１１１１において符号化される。符号化される残留値は５である。
最初のライン：黒色画素の輝度値はＸＸＸ０００００００において符号化される。符号化される値は０である。
【００３９】
最初のラインについて、第３サブフィールドの符号化に対応する第８再帰的ステップが、次いで、実行される。白色画素は、５≧４であるため、第３サブフィールドを用いる。最初のラインについてのこのサブフィールドの輝度は、４・（１＋（１−１／２）ｘ０．２５）＝４に等しい。それ故、第８再帰的ステップの終了時に、次のように得られる。
最初のライン：白色画素の輝度値はＸＸ１０１０１１１１において符号化される。符号化される残留値は１である。
最初のライン：黒色画素の輝度値はＸＸ００００００００において符号化される。符号化される値は０である。
【００４０】
最初のラインについて、第２サブフィールドの符号化に対応する第９再帰的ステップが、次いで、実行される。白色画素は第２サブフィールドを用いない。最初のラインについてのこのサブフィールドの輝度は、２・（１＋（１−１／２）ｘ０．２５）＝２に等しい。それ故、第９再帰的ステップの終了時に、次のように得られる。
最初のライン：白色画素の輝度値はＸ０１０１０１１１１において符号化される。符号化される残留値は１である。
最初のライン：黒色画素の輝度値はＸ０００００００００において符号化される。符号化される値は０である。
【００４１】
最終的に、第１サブフィールドの符号化に対応する第１０再帰的ステップが、次いで、実行される。白色画素は、１≧１であるため、第１サブフィールドを用いる。それ故、第１０再帰的ステップの終了時に、次のように得られる。
最初のライン：白色画素の輝度値は１０１０１０１１１１において符号化される。
最初のライン：黒色画素の輝度値は００００００００００において符号化される。
【００４２】
最初のラインと同一である他のラインの白色画素及び黒色画素の輝度値は最初のラインについて規定されるように符号化される。
【００４３】
中間のラインについて、第１０サブフィールド（最も重要な残留サブフィールド）の符号化に対応する第１再帰的ステップが次のように実行される。画素（それらの全ては白色である）は、２５５≧１７６であるため、第１０サブフィールドを用いる。このサブフィールドについてのこのラインの負荷は、このラインの画素全てはこのサブフィールドを用いるために等しい。それ故、中間のラインについてのこのサブフィールドの輝度は、予測される値、即ち、８０・（１＋（１−１）ｘ０．２５）＝８０に等しい。それ故、第１再帰的ステップの終了時に、次のように得られる。
中間のライン：画素の輝度値はＸＸＸＸＸＸＸＸＸ１において符号化される。符号化される残留値は１７５である。
【００４４】
中間のラインの第２再帰的ステップ（第９サブフィールドの符号化）の終了時に、１７５≧１１７であるため、次のように得られる。
中間のライン：画素の輝度値はＸＸＸＸＸＸＸＸ１１において符号化される。符号化される残留値は１１６である。
【００４５】
中間のラインの第３再帰的ステップ（第８サブフィールドの符号化）の終了時に、１１６≧７５であるため、次のように得られる。
中間のライン：画素の輝度値はＸＸＸＸＸＸＸ１１１において符号化される。符号化される残留値は７４である。
【００４６】
中間のラインの第４再帰的ステップ（第７サブフィールドの符号化）の終了時に、７４≧４６であるため、次のように得られる。
中間のライン：画素の輝度値はＸＸＸＸＸＸ１１１１において符号化される。符号化される残留値は４５である。
【００４７】
中間のラインの第５再帰的ステップ（第６サブフィールドの符号化）の終了時に、４５≧２７であるため、次のように得られる。
中間のライン：画素の輝度値はＸＸＸＸＸ１１１１１において符号化される。符号化される残留値は２６である。
【００４８】
中間のラインの第６再帰的ステップ（第５サブフィールドの符号化）の終了時に、２６≧１５であるため、次のように得られる。
中間のライン：画素の輝度値はＸＸＸＸ１１１１１１において符号化される。符号化される残留値は１４である。
【００４９】
中間のラインの第７再帰的ステップ（第４サブフィールドの符号化）の終了時に、１４≧８であるため、次のように得られる。
中間のライン：画素の輝度値はＸＸＸ１１１１１１１において符号化される。符号化される残留値は７である。
【００５０】
中間のラインの第８再帰的ステップ（第３サブフィールドの符号化）の終了時に、７≧４であるため、次のように得られる。
中間のライン：画素の輝度値はＸＸ１１１１１１１１において符号化される。符号化される残留値は３である。
【００５１】
中間のラインの第９再帰的ステップ（第２サブフィールドの符号化）の終了時に、３≧２であるため、次のように得られる。
中間のライン：画素の輝度値はＸ１１１１１１１１１において符号化される。符号化される残留値は１である。
【００５２】
中間のラインの第１０再帰的ステップ（第１サブフィールドの符号化）の終了時に、１≧１であるため、次のように得られる。
中間のライン：画素の輝度値は１１１１１１１１１１において符号化される。符号化される残留値は１である。
【００５３】
それ故、最終的に、全体のピクチャについて次のように得られる。
最初のライン：白色画素の輝度値は１０１０１０１１１１において符号化される。
最初のライン：黒色画素の輝度値は００００００００００において符号化される。
中間のライン：画素の輝度値は１１１１１１１１１１において符号化される。
最後のライン：白色画素の輝度値は１０１０１０１１１１において符号化される。
最後のライン：黒色画素の輝度値は００００００００００において符号化される。
【００５４】
負荷の影響がこの符号化により可視的でないことを調べることが可能である。最初のライン及び最後のラインにおいて、白色画素はサブフィールドの重みの和２２７を有する。しかし、用いられるサブフィールドはそれらのラインにおいて５０％の負荷を有し、それ故、輝度は２２７・（１＋（１−１／２）ｘ０．２５）＝２２７に等しい。そして、中間のラインにおいては、白色画素はサブフィールドの重みの和２５５を有する。しかし、用いられるサブフィールドはそれらのラインにおいて１００％の負荷を有するため、輝度は予測される輝度（２５５）に等しい。それ故、可視的なライン負荷は存在しない。
【００５５】
本発明の方法を実施するための装置を図４に示す。この装置は、再帰的符号化回路１０と該回路を制御するための制御器１１とを有する。再帰的符号化回路１０はデガンマ回路からもたらされる映像を受け、サブフィールドメモリ１３におけるサブフィールド符号語ＳＦ［１５：０］を出力する。図４の実施例においては、その回路１０はまた、デガンマ回路１２からもたらされるデータにディザリング機能を適用する。
【００５６】
再帰的符号化回路１０の模式図を図５に示し、その再帰的符号化回路１０はｎ個（ｎはサブフィールドの数である）の符号化ブロックであって、一のブロックは各々のサブフィールドについてのものである、符号化ブロックを有する。以下の説明においては、各々のサブフィールドはＳＦｉで表され、ｉはサブフィールドの番号である。ＳＦｎは最も大きい重みを有するサブフィールド（また、最も重要なサブフィールド）を表し、ＳＦ１は最も小さい重みを有するサブフィールド（また、最も重要でないサブフィールド）を表す。各々の符号化ブロックは、先行する符号化ブロック又はデガンマ回路からもたらされる輝度値及び符号化されるサブフィールドＳＦｉに関連付けられる切り替え値ＳＶｉを制御器１１から受け、後続する符号化ブロックにより符号化されるべき残留輝度値ＲＶｉ及びサブフィールドＳＦｉに対応するサブフィールド符号ビットＢｉを出力する。サブフィールド符号ビットＢｉはサブフィールドメモリ１３に記憶される。
【００５７】
特に、サブフィールドＳＦｎに関連付けられる符号化ブロックは、制御器１１からサブフィールドＳＦｎの切り替え値及びデガンマ回路１２からもたらされる輝度値を受け、後続する符号化ブロックにより符号化されるべき残留輝度値ＲＶｎ及びサブフィールド符号ビットＢｎを出力する。サブフィールドＳＦｉ，ｉ∈［２．．．ｎ−１］に関連付けられる符号化ブロックは、制御器１１から関連する切り替え値ＳＶｉ及び残留輝度値ＲＶｉを受け、後続する符号化ブロックにより符号化されるべき残留輝度値ＲＶｉ及びサブフィールド符号ビットＢｉを出力する。サブフィールドＳＦ１に関連付けられる最後の符号化ブロックは残留輝度値ＲＶ２及び切り替え値ＳＶ２を受け、サブフィールド符号ビットＢ１を出力する。
【００５８】
サブフィールドＳＦｉ，ｉ∈［２．．．ｎ］に関連付けられる符号化ブロックの例示としてのブロック図を図６に示す。その符号化ブロックは、
−  サブフィールドＳＦｉ，ｉ∈［２．．．ｎ−１］についての残留輝度値ＲＶｉ及びサブフィールドＳＦｎについてのデガンマ回路１２からもたらされる画素のラインのために輝度値を記憶するためのラインメモリ２０ｉと、
−  前記輝度値又は残留輝度値ＲＶｉにディザリング機能を適用するためのディザリングブロック２１ｉと、
−  切り替え値ＳＶｉに対してディザリングされた輝度値を比較し、前記ディザリングされた輝度値がＳＶｉに等しいか又はそれより大きいときに出力するための比較回路であって、ビットＢ１はサブフィールドメモリ１３に記憶されているサブフィールド符号ビットである、比較回路２２ｉと、
−  サブフィールドＳＦｉについて考慮されているラインの負荷Ｌｏａｄｉを計算するための負荷評価回路２３ｉと、
−  負荷値Ｌｏａｄｉに基づいて画素の考慮しているラインについてサブフィールドＳＦｉの有効な輝度Ｌｉを推定するための輝度推定回路２４ｉと、
−  １ライン期間のビットＢｉを遅延させるための１ビットラインメモリ２５ｉであって、前記遅延ビットはＢ′ｉで表される、１ビットラインメモリ２５ｉと、
−  ビットＢ′ｉと有効輝度Ｌｉを乗算するための回路２６ｉと、
−  メモリ２０ｉに記憶されている輝度値から乗算回路２６ｉの出力値を減算するための回路２７ｉであって、結果値は後続の符号化ブロックにより符号化されるべき残留値である、回路２７ｉと、
を有する。
【００５９】
サブフィールドＳＦ１に関連付けられる符号化ブロックの例示としての模式図を図７に示す。その符号化ブロックは、
−  残留輝度値ＲＶ２にディザリング機能を適用するためのディザリングブロック２１１と、
−  切り替え値ＳＶ１に対してディザリングされた輝度値を比較し、前記ディザリングされた輝度値がＳＶ１に等しいか又はそれより大きいときにビットＢ１を“１”に出力する比較回路２２１であって、ビットＢ１はサブフィールドメモリ１３に記憶されているサブフィールド符号ビットである、比較回路２２１と、
を有する。
【００６０】
それらの回路図全ては実施形態の例示として与えられている。本発明の装置の異なるラインメモリは１つの信号メモリ内に組み込まれることが可能である。そのラインメモリはまた、ディザリング回路を有しないことが可能である。
【符号の説明】
【００６１】
１０    再帰的符号化回路
１１    制御器
１２    デガンマ回路
１３    サブフィールドメモリ
２０    ラインメモリ
２１    ディザリング
２２    比較回路
２３    負荷評価回路
２４    輝度推定回路
２５    １ビットラインメモリ
２６    乗算回路
２７    減算回路
【図１】
0005686786.tif 000004
【図２】
0005686786.tif 000005
【図３】
0005686786.tif 000006
【図４】
0005686786.tif 000007
【図５】
0005686786.tif 000008
【図６】
0005686786.tif 000009
【図７】
0005686786.tif 000010